(57)【要約】【課題】  目標とする照射面にリングが形成されることなく、見る方向によって発光色が変化しない発光装置を提供する。【解決手段】  半導体発光素子チップとその半導体発光素子チップを覆う蛍光体層とを備えた発光素子とレンズとを備え、発光素子から出射される光をレンズを介して出力する発光装置において、発光素子の発光色は、配光角により変化する配光角依存性を有しており、その配光角依存性に基づいて、レンズから所定の距離にある目標照射面でレンズを通過して出力された光の発光色が均一になるように、発光素子とレンズの間の距離及びレンズの出射面の曲率分布とを設定した。【選択図】図１
2006196529.tif 000002
【特許請求の範囲】
【請求項１】
半導体発光素子チップとその半導体発光素子チップを覆う蛍光体層とを備えた発光素子とレンズとを備え、該発光素子から出射される光を前記レンズを介して出力する発光装置において、
前記発光素子の発光色は、配光角により変化する配光角依存性を有しており、その配光角依存性に基づいて、前記レンズから所定の距離にある目標照射面で前記レンズを通過して出力された光の発光色が均一になるように、発光素子とレンズの間の距離及びレンズの出射面の曲率分布とが設定されていることを特徴とする発光装置。
【請求項２】
前記半導体発光素子から出射される光のうち、前記発光素子の発光面から該発光面に対して第１の角度θ１以上の角度で出射される第１の光が前記目標照射面において所定の照射範囲に分布し、前記発光素子の発光面から該発光面に対して第２の角度θ２（θ１＞θ２）以下の角度で出射される第２の光が前記目標照射面において前記所定の照射範囲に分布する請求項１記載の発光装置。
【請求項３】
前記レンズから出射された前記第１の光は、一旦集光された後に拡散されて前記目標照射面における前記所定の照射範囲に分布する請求項２記載の発光装置。
【請求項４】
前記レンズから出射された前記第２の光は、集光されることなく、前記所定の照射範囲に分布する請求項３記載の発光装置。
【請求項５】
前記第１の角度θ１は、４０°であり、前記第２の角度θ２は、３０°である請求項２〜４のうちのいずれか１つに記載の発光装置。
【請求項６】
前記レンズは、曲率が連続的に変化する非球面からなる凸面を有する請求項１〜５のうちのいずれか１つに記載の発光装置。
【請求項７】
前記レンズの凸面は、回転楕円体形状を有する請求項１〜６のうちのいずれか１つに記載の発光装置。
【請求項８】
前記レンズの凸面は、２次以上の曲線が回転されてなる請求項１〜６のうちのいずれか１つに記載の発光装置。
【発明の詳細な説明】
【技術分野】
【０００１】
本発明は、レンズを備えた発光装置に関する。
【背景技術】
【０００２】
一般に、発光素子チップとそのチップを覆う砲弾型のレンズを備えた発光装置は、発光素子チップから出た光をレンズにより集光して所望の配光特性を実現している（例えば、特許文献１）。また、発光素子チップから出た光の集光力を高めるために、レンズを単純な砲弾型ではなく２段形状にしたものが、特許文献２に開示されている。
【特許文献１】実開昭５７−１９７６５７号公報
【特許文献２】特開２００３−２８２９５８号公報
【発明の開示】
【発明が解決しようとする課題】
【０００３】
しかしながら、従来の発光装置では、特定の色がリング状に形成されるという問題があり、そのようなリングが形成されるような場合には見栄えが悪くなるという問題点があった。
すなわち、半導体発光素子チップとその半導体発光素子チップを覆う蛍光体層とを有してなる発光素子では、半導体発光素子チップの一部の光と蛍光体によって波長が変換された光とが混合されてその発光色が決定されるが、その発光色は蛍光体層を通過する光の光路長の相違によって配光角に依存して変化する傾向がある。
かかる場合に、レンズを介して発光素子の光を出射すると、発光素子における発光色の配光角依存性に対応して、特定の色がリング状に形成されたり、見る方向によって発光色に変化が生じる。
そこで、本発明は目標とする照射面にリングが形成されることなく、見る方向によって発光色が変化しない発光装置を提供することを目的とする。
【課題を解決するための手段】
【０００４】
以上の問題点を解決するために、本発明に係る発光装置は、半導体発光素子チップとその半導体発光素子チップを覆う蛍光体層とを備えた発光素子とレンズとを備え、該発光素子から出射される光を前記レンズを介して出力する発光装置において、前記発光素子の発光色は、配光角により変化する配光角依存性を有しており、その配光角依存性に基づいて、前記レンズから所定の距離にある目標照射面で前記レンズを通過して出力された光の発光色が均一になるように、発光素子とレンズの間の距離及びレンズの出射面の曲率分布とが設定されていることを特徴とする。
ここで、目標照射面とは、発光装置が使用される状況において観測される発光色の分布が最も効果的に観測できるレンズに直交する観測面であり、発光装置に要求される仕様に基づいてレンズからの距離が設定される。
【０００５】
本発明に係る発光装置において、前記半導体発光素子から出射される光のうち、前記発光素子の発光面から該発光面に対して第１の角度θ１以上の角度で出射される第１の光が前記目標照射面において所定の照射範囲に分布するようにし、前記発光素子の発光面から該発光面に対して第２の角度θ２（θ１＞θ２）以下の角度で出射される第２の光が前記目標照射面において前記照射範囲に分布するようにして、前記目標照射面における発光色が均一になるようにすると、曲率分布の設定が容易である。
ここで、第１の角度θ１及び第２の角度θ２は、半導体発光素子の発光色の配光角依存性に基づいて設定される。例えば、後述の図１４に示す配光特性を有する半導体発光素子では、第１の角度θ１＝４０°、第２の角度θ２＝３０°に設定する。
【０００６】
また、本発明に係る発光装置において、前記レンズから出射された前記第１の光は、一旦集光された後に拡散されて前記目標照射面における前記所定の照射範囲に分布するようにしてもよい。その際、前記レンズから出射された前記第２の光は、集光されることなく、前記所定の照射範囲に分布するようにしてもよく、そのようにすると、曲率分布の設定がより容易となる。
【０００７】
前記レンズの凸面の曲率は連続的に変化する非球面からなることが好ましい。また、前記レンズの凸面は、回転楕円体形状を有していてもよいし、前記レンズの凸面は、２次以上の曲線が回転されてなっていてもよい。
【発明の効果】
【０００８】
以上のように構成された本発明に係る発光装置は、前記発光素子の発光色が配光角依存性を有している場合であっても、その配光角依存性に基づいて、前記レンズから所定の距離にある目標照射面で前記レンズを通過して出力された光の発光色が均一になるように、発光素子とレンズの間の距離及びレンズの出射面の曲率分布とが設定されている。
従って、目標とする照射面にリングが形成されることなく、見る方向によって発光色が変化しない発光装置を提供することができる。
【発明を実施するための最良の形態】
【０００９】
以下、図面を参照しながら、本発明に係る実施の形態の発光装置について説明する。
本発明に係る実施の形態の発光装置は、発光素子とレンズとを備えその発光素子から出射される光をレンズを介して出力する発光装置において、その発光素子が発光色の配光角依存性を有する場合に、その配光角依存性をレンズにより補償して所定の距離にある目標照射面において光の発光色が均一になるようにしたものである。
【００１０】
例えば、青色発光素子チップとＹＡＧを組み合わせた白色発光素子は、青色発光素子チップを覆うＹＡＧ層により青色発光素子チップからの光の一部を波長の異なる光に変換してその変換光と変換されなかった青色光とが混ざりあった白色光を出射するが、一般的に、その発光素子の発光色は配光角依存性を有している。
【００１１】
例えば、青色発光素子チップとＹＡＧを組み合わせた白色発光素子は、セラミックからなるパッケージ２０１を用いて図３Ａ，図３Ｂに示すように構成される。尚、図３Ｂは、図３Ａに示される発光素子のＸ−Ｘ線についての断面図である。
この発光素子は、表面実装型のいわゆるチップタイプの発光素子であって、パッケージ２０１に収納された半導体発光素子チップ１０３から出射された光を透光性樹脂からなるモールド部材１０７の表面である発光面２１０から出射するものである。
【００１２】
図３Ａに示す発光素子において、パッケージ２０１は半導体発光素子チップ１０３を収納する収納部（凹部）を有し、その収納部底面には、半導体発光素子チップの電極に接続される正負一対の導体が形成されている。そして、正負一対の導体が第一の光反射部１０２ａとして反射機能を備えている。これにより、半導体発光素子チップの側面から出射された光は上方に反射されて発光面２１０から外部に出射される。
また、開口（発光面２１０）方向に広くなる凹部内壁面は第二の光反射部１０２ｂであり、半導体発光素子チップの側面から出射された光は第二の光反射部１０２ｂによって反射されて発光面２１０から外部に出射される。
すなわち、本パッケージは第一と第二の光反射部により発光効率（光の外部取り出し効率）を高めている。
【００１３】
この発光素子では、パッケージ２０１の収納部内の所定の位置に半導体発光素子チップ１０３をダイボンディングして必要なワイヤーボンディングを施した後、収納部内に例えば、透光性を有する樹脂からなるモールド部材１０７が充填される。
そして、モールド部材１０７に例えばＹＡＧ系蛍光体が含まれており、青色発光素子チップチップを覆うモールド部材１０７に含まれるＹＡＧ蛍光体により青色発光素子チップからの光の一部を吸収して波長の異なる光に変換し、その変換光と変換されなかった青色光とが混ざりあった白色光を出射する。
尚、図３Ａ，３Ｂに示されている４０１の符号を付して示すものは、発光素子チップチップ１０３を過電圧による破壊から守る保護素子である。
【００１４】
以上のように構成された発光素子において、大きな配光角で発光面から出射される光は、モールド部材１０７を通過する際の光路長が長くなり、ＹＡＧ層により変換される光が多くなるので、青みが少なく黄色がかってくる。その結果、青色発光素子チップとＹＡＧを組み合わせた白色発光素子の色配光は図１４に示すように、配光角が大きいものほど黄色分が強くなる。すなわち、図３Ａに示すように構成された青色発光素子チップとＹＡＧを組み合わせた白色発光素子において、中央部から出る光は青白く、その周辺部で配光角が大きくなるほど、黄色っぽくなるという配光色依存性を有する。従って、単純な球面レンズを用いた場合（例えば、図１５）には、図１４に示す白色発光素子の配光特性に起因して配光角に応じて観測色が変化して発光色に変化が生じ、黄色リング発生の原因となる。
【００１５】
そこで、本実施の形態の発光装置では、レンズから所定の距離にある目標照射面で発光色が均一になるように、発光素子の発光色の配光角依存性に基づいて、
（１）発光素子とレンズの間の距離と、
（２）レンズの出射面の曲率分布とを、
設定することにより発光素子の発光色の配光角依存性を補償している。
ここで、目標照射面とは、発光装置の使用状態における発光色分布が最も適切に表れる面であり、この面における照射される光の発光色が面内において均一になるようにすれば、使用状態において均一な発光色分布が得られる。
【００１６】
より具体的には、発光素子チップ１から出射される光のうち、比較的配光角が小さい青みの強い光線Ａは、レンズ１０を通過することにより、発光素子チップから出射される配光角より広がるように、目標照射面に向けて配光される（図１に示す）。特に本実施の形態では、レンズ１０の光軸の近くを通過する光がレンズ１０を通過後に交差するようにレンズの光軸に近い部分の曲率を設定して、光軸の近くを通過する青みの強い光線Ａの配光角がレンズ通過後に広がるようにしている。
【００１７】
また、発光素子チップから出射される光のうち、比較的配光角が大きい黄色がかった光線Ｂは、レンズ１０を通過することにより、発光ダイオードから出射される配光角より狭い角度で目標照射面に向けて配光される。すなわち、本実施の形態では、レンズ１０の光軸から離れた位置に入射される光が狭い角度で目標照射面に向けて配光されるように、レンズの周辺部分の曲率を設計している。
【００１８】
本発明では、上述したようにレンズ１０の曲率が設定されて、目標照射面において均一な発光色が得られるように、青みの強い光線Ａと黄色がかった光線Ｂとが混ざり合っている。
【００１９】
以下、比較的狭い配光特性が要求される発光装置と比較的広い配光特性が要求される発光装置の具体的な形態について説明する。
【００２０】
実施の形態１．
図２Ａは、本発明に係る実施の形態１の発光装置の模式図であり、この実施の形態１の発光装置は比較的狭い配光特性を有するものであるが、その配光範囲においては黄色リングの発生が抑えられ、発光色が均一になるようにレンズ及び、レンズ（レンズの曲面）と発光素子チップの間隔が設定されている。
【００２１】
特に本実施の形態１では、図２Ａに示すように、回転楕円体形状の平凸レンズを用いて以下のように構成されている。
まず、発光素子チップ１の発光面から、その発光面に対して第１の角度θ１以上の角度で放射される第１の光Ｌ１は、レンズ２１を通過することによって、一旦集光された後に拡散されて目標照射面の所定の範囲に照射される（図２Ａ、図２Ｂ参照）。すなわち、第１の光は、レンズの中心軸に対して反対側から放射される他の第１の光と目標照射面に到達する前に交差される。
ここで、第１の光Ｌ１は、青の成分が比較的大きい色温度が概ね８５００Ｋ以上の光であり、図２Ａに示すように、レンズ２１の内部では、レンズ２１の入射面に対して角度α以上の角度で進行する光となる。
【００２２】
また、発光素子チップ１の発光面から、その発光面に対して第２の角度θ２以下の角度で放射される第２の光Ｌ２は、レンズ２１を通過することによって、集光されることなく拡散されて目標照射面の所定の範囲に照射される（図２Ａ、図２Ｂ参照）。すなわち、第２の光は、他の第１の光と目標照射面に到達する前に交差されることはない。
ここで、第２の光Ｌ２は、青色成分が徐々に小さくなり始め、黄色成分が徐々に大きくなる色温度が概ね８２５０Ｋ以下の光であり、図２Ａに示すように、レンズ２１の内部では、レンズ２１の入射面に対して角度β以下の角度で進行する光となる。
【００２３】
本実施の形態１において、第１の光を定義する第１の角度θ１と第２の光を定義する第２の角度θ２は、発光素子チップの色温度の配光角依存性に基づいて設定される。例えば、図１４に示す配光角依存性を有する発光素子チップであれば、第１の角度θ１＝４０°、第２の角度θ２＝３０°に設定して、発光素子とレンズの間の特定の距離に対して、レンズの出射面の曲率分布を、第１の光と第２の光が目標照射面の所定の範囲において均一に分布するように設定すると、その出射面は、算出された特定の楕円を回転させてなる回転楕円体となる。このようにして、発光素子チップの発光色の配光角依存性を、レンズにより補償することが可能となり、均一な白色分布が得られる。
【００２４】
また、図１４に示す配光角依存性を有する発光素子チップを用い、第１の角度θ１＝４０°、第２の角度θ２＝３０°に設定し、例えば、ポリメタクリル酸メチル（ＰＭＭＡ）を用いてレンズを構成した場合、発光素子とレンズの間の距離＝０．４ｍｍに対して、ＰＭＭＡの屈折率に基づいてレンズの出射面の曲率を設定すると出射面が特定の回転楕円体のとなるとき、目標照射面の目標範囲において均一な発光が得られる。このとき、α＝６４．５°、β＝５４．５°となる。
【００２５】
また、図１４に示す配光角依存性を有する発光素子チップを用い、第１の角度θ１＝４０°、第２の角度θ２＝３０°に設定し、例えば、レンズをポリカーボネート（ＰＣ）にした場合、発光素子とレンズの間の距離＝０．４ｍｍに対して、ＰＣの屈折率に基づいてレンズの出射面の曲率を設定すると出射面が別の特定の回転楕円体のとなるとき、目標照射面の目標範囲において均一な発光が得られる。このとき、α＝６６°、β＝５６．８°となる。
【００２６】
この実施の形態１のレンズでは、凸面の曲率を図１を用いて説明した原理に基づいて連続的に変化させて、所定の目標照射面において比較的狭い配光範囲内で均一な発光色になるようにしているものであるが、高い指向性が求められる用途の発光装置に本発明を適用する場合には、本実施の形態１で示すように、回転楕円体形状の平凸レンズにより構成できる（図２Ａ）。
【００２７】
実施の形態２．
図４は、本発明に係る実施の形態２の原理を説明するための発光装置の模式図である。この実施の形態２の発光装置は、比較的広い配光特性を有するものである点で実施の形態１とは異なる。
本実施の形態２では、比較的広い配光範囲においては黄色リングの発生を抑え、発光色が均一になるようにレンズ及び、レンズと発光素子チップの間隔が設定されている。
【００２８】
具体的には、実施の形態２のレンズ２２の凸面Ｓ２２は、第１曲面Ｓ２２ａと、その周りに位置する第２曲面Ｓ２２ｂとからなる。ここで、第１曲面Ｓ２２ａの曲率は、レンズ２２の光軸の近くを透過する光がレンズ２２を通過した後に交差して発光素子チップから出射されたときより広がるように設定され、第２曲面Ｓ２２ｂの曲率は、大きな配光角で発光素子チップから出射された黄色がかった光が、レンズ２３を通過した後に発光素子チップから出射された配光角より狭くなるように設定されている。
【００２９】
このように曲率が設定されたレンズ２２を、発光素子チップ１から所定の位置に配置することにより、本実施の形態２の発光装置は、比較的広い配光範囲においては黄色リングの発生を抑え、発光色が均一になるように構成されている。尚、図４においては、第１曲面Ｓ２２ａと第２曲面Ｓ２２ｂの境界部分では曲率が不連続に変化するように描いているが、実際にレンズに適用する場合には第１曲面Ｓ２２ａと第２曲面Ｓ２２ｂの境界部分における曲率は、図５に示すようになり不連続ではない。
【００３０】
このようにして、実施の形態２の発光装置では、発光色が配光角依存性を有する発光素子を用いたときに、その配光角依存性に基づいて、前記レンズから所定の距離にある目標照射面で前記レンズを通過して出力された光の発光色が均一になるように、発光素子とレンズの間の距離及びレンズの出射面における第１曲面Ｓ２２ａの曲率、第２曲面Ｓ２２ｂの曲率及びレンズと発光素子チップの間隔が設定されている。
【実施例】
【００３１】
以下、本発明に係る実施例について説明する。
実施例１．
本発明に係る実施例１の発光装置は、図１４に示す発光色の配光角依存性を有する発光素子を用い、その配光特性を補償するようにレンズの凸面が回転楕円体で構成されている。
具体的には、本実施例１の発光装置において、（１）発光素子は、図１４に示す配光角依存性を有するものであり、（２）レンズの径は８ｍｍであり、（３）レンズの入射面と発光素子の発光面との間の間隔が０．４ｍｍである。
本実施例１では、発光素子の配光角依存性、レンズの入射面と発光素子の発光面との間の間隔及びレンズの径が、発光装置に対する要求から必然的に決まっているものとして、所望の配光範囲において、発光素子の発光色の配光角依存性を補償するように、レンズの出射面の曲率分布を最適化した。
【００３２】
その結果、最適化されたレンズ形状は、図６に示すような、短軸が８ｍｍ、長軸が１６ｍｍの回転楕円体を半分に分割（長軸の中心を長軸に直交する面で分割）した形状となった。すなわち、図２Ａのレンズ２１において、光入射面の径が８ｍｍで高さが８ｍｍのレンズとなった。
尚、回転楕円体の楕円の式は、ｘ２／６４＋ｙ２／１６＝１である。
【００３３】
図６は、実施例１の発光装置において、発光素子から出射された光がレンズを通過する様子及びレンズを通過した後の光の光路（レンズ近傍）を示す図である（シミュレーションにより評価した結果を示す図）。
また、図７は、実施例１の発光装置において、発光素子から出射された光がレンズを通過した後の光の光路（レンズから十分離れた部分）を示す図である（シミュレーションにより評価した結果を示す図）。
また、図６、図７において、実線は青みがかった光を表しており、破線は黄色がかった光を表している。
【００３４】
図７に示すように、本実施例１の発光装置は、レンズから離れた位置（例えば、目標照射面）では、実線により表された青みがかった光と、破線により表された黄色がかった光は十分混ざり合い均一な発光色となっていることがわかる。
図８は、実施例１の発光装置の目標照射面における発光色（色度）分布を示す写真である。
【００３５】
図９は、実施例１の発光装置において、発光素子とレンズとの間隔を０．１ｍｍとした場合の、レンズを通過した後の光の光路（レンズから十分離れた部分）を示す図である（シミュレーションにより評価した結果）。図９において、実線は青みがかった光を表しており、破線は黄色がかった光を表している。
【００３６】
図９に示すように、発光素子とレンズとの間隔を０．４ｍｍとして最適化したレンズを用いて、発光素子とレンズとの間隔を０．１ｍｍにすると、青みがかった光が光軸の近辺に配光され、黄色がかった光が光軸から離れた部分に配光されて観測位置（目標照射面）における発光色が不均一になる。
図１０は、実施例１の発光装置において、発光素子とレンズとの間隔を０．１ｍｍにした場合の目標照射面における発光色（色度）分布を示す写真である。
【００３７】
図１１は、実施例１の発光装置において、発光素子とレンズとの間隔を０．６ｍｍとした場合の、レンズを通過した後の光の光路（レンズから十分離れた部分）を示す図である（シミュレーションにより評価した結果）。また、図１１において、実線は青みがかった光を表しており、破線は黄色がかった光を表している。
【００３８】
図１１に示すように、発光素子とレンズとの間隔を０．４ｍｍとして最適化したレンズを用いて、発光素子とレンズとの間隔を０．６ｍｍにすると、黄色がかった光が光軸の近辺に配光され、青みがかった光が光軸から離れた部分に配光されて観測位置（目標照射面）における発光色が不均一になる。
図１２は、実施例１の発光装置において、発光素子とレンズとの間隔を０．６ｍｍにした場合の目標照射面における発光色（色度）分布を示す写真である。
【００３９】
以上説明したことからわかるように、本発明によれば、発光素子の発光色の配光角依存性に基づいて、レンズから所定の距離にある目標照射面で発光色が均一になるように、（１）発光素子とレンズの間の距離と、（２）レンズの出射面の曲率分布とを、設定することにより発光素子の発光色の配光角依存性を補償することが可能である。
【００４０】
実施例２．
本発明に係る実施例２の発光装置は、図１４に示す発光色の配光角依存性を有する発光素子を用い、実施例１の発光装置より広い範囲の配光角において、発光色が均一になるようにレンズを最適化したものである。
【００４１】
その結果、最適化されたレンズ形状は、図１３に示すような凸面となり、その入射面の径は５ｍｍ、レンズの高さは３．１ｍｍとなった。具体的には、５次式で表される曲線を回転させて得られる形状となる。
【００４２】
図１３は、実施例２の発光装置において、発光素子から出射された光がメンズを通過する様子及びレンズを通過した後の光の光路（レンズ近傍）を示す図である（シミュレーションにより評価した結果を示す図）。
また、図１３において、実線は青みがかった光を表しており、破線は黄色がかった光を表している。
【００４３】
図１３に示すように、実施例２の発光装置において、発光素子から出射された光のうち、レンズの光軸の近くを透過する光はレンズを通過した後に交差して発光素子チップから出射されたときより広がるように配光され、大きな配光角で発光素子チップから出射された光はレンズを通過した後に発光素子チップから出射された配光角より狭くなるように配光されている。
これにより、目標照射面において均一な発光色が得られる。
【図面の簡単な説明】
【００４４】
【図１】本発明の原理を説明するための模式図である。
【図２Ａ】本発明に係る実施の形態１の構成及び光路を示す模式的断面図である。
【図２Ｂ】図２Ａの発光素子チップ１の部分を拡大して示す断面図である。
【図３Ａ】本発明に係る実施の形態の発光装置に使用される発光素子の斜視図である。
【図３Ｂ】図３ＡのＸ−Ｘ線についての断面図である。
【図４】本発明に係る実施の形態２の原理を説明するための発光装置の模式図である。
【図５】本発明に係る実施の形態２の発光装置におけるレンズの断面図である。
【図６】本発明に係る実施例１の発光装置において、発光素子から出射された光がメンズを通過する様子及びレンズを通過した後の光の光路を示す図である。
【図７】実施例１の発光装置において、発光素子から出射された光がレンズを通過した後、レンズから離れた位置における光の光路を示す図である。
【図８】実施例１の発光装置の目標照射面における色度分布を示す写真である。
【図９】実施例１の発光装置において、発光素子とレンズとの間隔を０．１ｍｍとした場合の、レンズを通過した後のレンズから離れた位置における光の光路を示す図である。
【図１０】実施例１の発光装置において、発光素子とレンズとの間隔を０．１ｍｍとした場合の、目標照射面における色度分布を示す写真である。
【図１１】実施例１の発光装置において、発光素子とレンズとの間隔を０．６ｍｍとした場合の、レンズを通過した後のレンズから離れた位置における光の光路を示す図である。
【図１２】実施例１の発光装置において、発光素子とレンズとの間隔を０．６ｍｍとした場合の、目標照射面における色度分布を示す写真である。
【図１３】本発明に係る実施例２の発光装置において、発光素子から出射された光がメンズを通過する様子及びレンズを通過した後の光の光路を示す図である。
【図１４】本発明に係る実施例の発光装置に使用した発光素子における発光色の配光色依存性を示すグラフである。
【図１５】従来の発光装置の球面レンズの模式的な断面図である。
【符号の説明】
【００４５】
１  発光素子、
１０，２１，２２  レンズ（非球面レンズ）、
１０２ｂ  第二の光反射部、
１０３  半導体発光素子チップ、
１０７  モールド部材、
２０１  パッケージ、
２１０  発光面、
４０１  保護素子、
Ｓ２２  凸面、
Ｓ２２ａ  第１曲面、
Ｓ２２ｂ  第２曲面。
【図１】
2006196529.tif 000003
【図２Ａ】
2006196529.tif 000004
【図２Ｂ】
2006196529.tif 000005
【図３Ａ】
2006196529.tif 000006
【図３Ｂ】
2006196529.tif 000007
【図４】
2006196529.tif 000008
【図５】
2006196529.tif 000009
【図６】
2006196529.tif 000010
【図７】
2006196529.tif 000011
【図８】
2006196529.tif 000012
【図９】
2006196529.tif 000013
【図１０】
2006196529.tif 000014
【図１１】
2006196529.tif 000015
【図１２】
2006196529.tif 000016
【図１３】
2006196529.tif 000017
【図１４】
2006196529.tif 000018
【図１５】
2006196529.tif 000019